(57)【特許請求の範囲】
【請求項１】
インキ通過性の円筒状の周壁を有して自身の軸線廻りに回転可能とされた版胴と、前記周壁の内周面からインキを供給するスキージローラと、前記版胴の外部に設けられて前記スキージローラとの間にて前記周壁の外周面に巻装された孔版原紙に対して印刷用紙を圧接するプレスローラとを備えた孔版印刷装置であって、
上面にガイド板を有したケースと、
前記ケースに設けられた吸引力発生部と、
前記ガイド板の一端部に設けられ、前記吸引力発生部による吸引力を、前記版胴側から前記印刷用紙を引き剥がす吸引力とする剥離吸引口と、
からなる剥離吸引手段を備え、
前記剥離吸引口が、前記版胴の軸線に交差する前記スキージローラの中心線に直交し、且つ、前記プレスローラと前記版胴側との圧接位置を通る基準線の下方にて、前記プレスローラに近接して配されている孔版印刷装置において、
前記剥離吸引手段は、更に、無端状とされた搬送ベルトを前記ガイド板の一端部側および他端部側に軸支された一対のプーリに対して掛け回し、前記搬送ベルトの上側部分を前記ガイド板の上面に沿うようして駆動する搬送部を有し、
前記剥離吸引口が、前記ガイド板の一端部側である前記ケースの上端縁に設けられ、
前記搬送部が、前記剥離吸引口の近傍にある前記プーリを前記ケース内に配して、前記搬送ベルトを前記剥離吸引口から前記ケース内に入るように掛け回すとともに、前記剥離吸引口の開口部分に、前記搬送ベルトを掛ける支持軸を有していることを特徴とする孔版印刷装置。
【請求項２】
前記剥離吸引手段には、前記剥離吸引口にて前記版胴側から引き剥がされた前記印刷用紙を撓むことなく支持し、前記搬送ベルトに向けて導くガイドリブが設けられていることを特徴とする請求項１記載の孔版印刷装置。
【請求項３】
前記剥離吸引手段を介して前記版胴が複数設けられていることを特徴とする請求項１又は２記載の孔版印刷装置。
【請求項４】
インキ通過性の円筒状の周壁を有して自身の軸線廻りに回転可能とされた版胴と、前記周壁の内周面からインキを供給するスキージローラと、前記版胴の外部に設けられて前記スキージローラとの間にて前記周壁の外周面に巻装された孔版原紙に対して印刷用紙を圧接するプレスローラとを備えた孔版印刷装置であって、
上面にガイド板を有したケースと、
前記ケースに設けられた吸引力発生部と、
前記ガイド板の一端部に設けられ、前記吸引力発生部による吸引力を、前記版胴側から前記印刷用紙を引き剥がす吸引力とする剥離吸引口と、
無端状とされた搬送ベルトに通気穴を設け、該搬送ベルトを前記ガイド板の一端部側および他端部側に軸支された一対のプーリに対して掛け回し、前記搬送ベルトの上側部分を前記ガイド板の上面に沿うようして駆動する搬送部と、
前記ガイド板の前記搬送ベルトと重なる部位に設けられ、前記吸引力発生部による吸引力を、前記印刷用紙を前記搬送ベルト側に吸着する吸引力とする搬送吸引口と、
からなる吸引搬送手段を備え、
前記剥離吸引口が、前記版胴の軸線に交差する前記スキージローラの中心線に直交し、且つ、前記プレスローラと前記版胴側との圧接位置を通る基準線の下方にて、前記プレスローラに近接して配されている孔版印刷装置において、
前記剥離吸引口が、前記ガイド板の一端部側である前記ケースの上端縁に設けられ、
前記搬送部が、前記剥離吸引口の近傍にある前記プーリを前記ケース内に配して、前記搬送ベルトを前記剥離吸引口から前記ケース内に入るように掛け回すとともに、前記剥離吸引口の開口部分に、前記搬送ベルトを掛ける支持軸を有していることを特徴とする孔版印刷装置。
【請求項５】
インキ通過性の円筒状の周壁を有して自身の軸線廻りに回転可能とされた版胴と、前記周壁の内周面からインキを供給するスキージローラと、前記版胴の外部に設けられて前記スキージローラとの間にて前記周壁の外周面に巻装された孔版原紙に対して印刷用紙を圧接するプレスローラとを備えた孔版印刷装置であって、
上面にガイド板を有したケースと、
前記ケースに設けられた吸引力発生部と、
前記ガイド板の一端部に設けられ、前記吸引力発生部による吸引力を、前記版胴側から前記印刷用紙を引き剥がす吸引力とする剥離吸引口と、
無端状とされた搬送ベルトに通気穴を設け、該搬送ベルトを前記ガイド板の一端部側および他端部側に軸支された一対のプーリに対して掛け回し、前記搬送ベルトの上側部分を前記ガイド板の上面に沿うようして駆動する搬送部と、
前記ガイド板の前記搬送ベルトと重なる部位に設けられ、前記吸引力発生部による吸引力を、前記印刷用紙を前記搬送ベルト側に吸着する吸引力とする搬送吸引口と、
からなる吸引搬送手段を備え、
前記剥離吸引口が、前記版胴の軸線に交差する前記スキージローラの中心線に直交し、且つ、前記プレスローラと前記版胴側との圧接位置を通る基準線の下方にて、前記プレスローラに近接して配されている孔版印刷装置において、
前記剥離吸引口の総開口面積に対する前記搬送吸引口の総開口面積が小さくなるように形成されていることを特徴とする孔版印刷装置。
【請求項６】
前記吸引搬送手段には、前記剥離吸引口にて前記版胴側から引き剥がされた前記印刷用紙を撓むことなく支持し、前記搬送ベルトに向けて導くガイドリブが設けられていることを特徴とする請求項４又は５記載の孔版印刷装置。
【請求項７】
前記吸引搬送手段を介して前記版胴が複数設けられていることを特徴とする請求項４又は５又は６記載の孔版印刷装置。
【発明の詳細な説明】
【０００１】
【発明の属する技術分野】
本発明は、画像形成された用紙を排紙するための用紙搬送装置を備えた孔版印刷装置に関するものである。
【０００２】
【従来の技術】
図２１は、一般的な孔版印刷装置を示している。
孔版印刷装置の一側には、印刷用紙Ｐが積載される給紙台１００が設けられている。係る印刷用紙Ｐは、捌きローラ１０１により最上方の一枚のみが分離されて孔版印刷装置内に給紙される。給紙された印刷用紙Ｐは、レジストローラ１０２により所定のタイミングで孔版印刷装置内に設けられた版胴１０３側に搬送される。版胴１０３は、インキ通過性の周壁１０４を円筒状にしてなり、自身の軸線周りに図２１中反時計廻り方向に回転する。版胴１０３の外周面には、製版済みの孔版原紙が巻装される。版胴１０３の内部には、版胴１０３の内周面にインキを供給するインキ供給手段１０５が設けられている。版胴１０３の外部には、前記インキ供給手段１０５に対向する位置にて版胴１０３の外周面に対して接離可能に移動するプレスローラ１０６が設けられている。そして、レジストローラ１０２にて搬送された印刷用紙Ｐは、プレスローラ１０６によって版胴１０３の外周面にある孔版原紙に圧接され、その一面に版胴１０３の内周面から孔版原紙の穿孔部を介して押し出されたインキが転移される。印刷された印刷用紙Ｐは、版胴１０３の回転によって搬出され、バキュームファン１０７および用紙搬送ベルト１０８を有するバキュームコンベア（サクションベルト）方式による用紙搬送装置によって、孔版印刷装置の他側（給紙台１００とは反対側）に設けられた排紙台１０９に排紙される。このように、一連の印刷動作が行われる。
【０００３】
上記一連の印刷動作において、プレスローラ１０６によって版胴１０３側に圧接された印刷用紙Ｐは、インキの粘着力によって版胴１０３の外周面にある孔版原紙側に貼り付くこととなる。
そこで、従来では、版胴１０３の用紙搬出側である用紙搬送装置の手前に、先端が尖った分離爪１１０を設け、この分離爪１１０を版胴１０３側に貼り付いた印刷用紙Ｐに引っかけることにより、印刷用紙Ｐを版胴１０３側から分離しようとしている。また、従来では、上記分離爪１１０に加え（あるいは代えて）、版胴１０３の用紙搬出側である用紙搬送装置の手前に、送風ファン１１１を設け、この送風ファン１１１の送風力により、印刷用紙Ｐを版胴１０３側から分離しようとしている。
【０００４】
【発明が解決しようとする課題】
しかしながら、上述した従来の孔版印刷装置では、分離爪１１０の場合、印刷用紙Ｐを版胴１０３側から分離する際、印刷用紙Ｐの印刷画像面に直接接触するために、画像部分が擦れて印刷品位が低下するという問題がある。
【０００５】
また、送風ファン１１１の場合には、その吹き出し口付近の空気流の下方において負圧域が生じる。そして、印刷用紙Ｐを版胴１０３側から分離する際、用紙搬送装置側に向かうべき印刷用紙Ｐが、負圧域の吸引作用で送風ファン１１１側に引き寄せられて送風ファン１１１の吹き出し口に接触することがある。これにより、分離爪１１０の場合と同様に印刷用紙Ｐの画像部分が擦れて、印刷品位が低下するという問題がある。
【０００６】
ところで、印刷画像の印字率が大きい場合、即ち、ベタ部分が多い場合では、インキの粘着力が大きくなって版胴１０３側から印刷用紙Ｐが分離し難くなる。即ち、版胴１０３側からの印刷用紙Ｐの分離時間が遅れて、版胴１０３側に印刷用紙Ｐが保持される時間が長くなる。これにより、例えば印刷用紙Ｐの送り先端側が分離されて用紙搬送装置にて搬送されようとするが、送り後端側が版胴１０３側から分離されないで版胴１０３側に残る。このため、印刷用紙Ｐの送り後端側が舞い上がり、最悪の場合は、排紙ジャムが発生して、印刷動作が中断してしまうという問題がある。
【０００７】
また、印刷用紙Ｐの搬送方向の左右にて印字率が異なる場合には、印刷用紙Ｐの左右にて版胴１０３側から分離する時間が異なる。これにより、印刷用紙Ｐの排紙送りが斜行したり、この斜行により排紙ジャムが生じるおそれがある。
【０００８】
また、インキは、主に印刷用紙Ｐに浸透する形態で印刷画像を形成する。しかし、上記の如く版胴１０３側に印刷用紙Ｐが保持される時間が長い場合、インキの毛細管現象によって印刷用紙Ｐに必要以上のインキを転移させてしまう。このように、インキの転移量が必要以上に多いと、印刷画像部が滲んで印刷品位を低下させたり、ベタ部分においては濃淡が生じたりする。また、浸透しきれずに印刷用紙Ｐの表面に残った余剰インキが、次に排紙される印刷用紙Ｐの裏面に接触して裏移りさせるという不具合が発生する。
【０００９】
各孔版原紙では、それぞれ印刷画像の印字率が様々に異なるが、この印字率が大幅に異なると、版胴１０３側からの印刷用紙Ｐの分離タイミングが異なることとなる。すなわち、用紙搬送装置側に印刷用紙Ｐの送り先端側が分離された際の剥離軌道が変化して用紙先端位置が変化する。また、印刷用紙Ｐの搬送方向の左右にて印字率が異なる場合には、上記の如く印刷用紙Ｐが斜行するため、用紙搬送装置側に印刷用紙Ｐの送り先端側が分離された際の用紙先端位置が斜行する。このように、印刷用紙Ｐの用紙先端位置が変化すると、特に、版胴１０３の後段に別の版胴（不図示）を設けて、多版印刷や両面印刷を行うようにした孔版印刷装置では、初段の版胴１０３にて印刷された印刷用紙Ｐの画像に対し、後段の版胴にて印刷する印刷画像が相対的にズレてしまうという問題がある。
【００１０】
そこで本発明は、上記課題を解消するために、印刷の印字率にかかわらず、且つ、印刷用紙の印刷画像面に接触することなく版胴側からの印刷用紙の分離を行うことができるとともに、版胴側からの印刷用紙の分離を用紙先端位置を揃えて行うことができる孔版印刷装置を提供することを目的としている。
【００１１】
【課題を解決するための手段】
上記目的を達成するため本発明による請求項１記載の孔版印刷装置は、インキ通過性の円筒状の周壁を有して自身の軸線廻りに回転可能とされた版胴と、前記周壁の内周面からインキを供給するスキージローラと、前記版胴の外部に設けられて前記スキージローラとの間にて前記周壁の外周面に巻装された孔版原紙に対して印刷用紙を圧接するプレスローラとを備えた孔版印刷装置であって、
上面にガイド板を有したケースと、
前記ケースに設けられた吸引力発生部と、
前記ガイド板の一端部に設けられ、前記吸引力発生部による吸引力を、前記版胴側から前記印刷用紙を引き剥がす吸引力とする剥離吸引口と、
からなる剥離吸引手段を備え、
前記剥離吸引口が、前記版胴の軸線に交差する前記スキージローラの中心線に直交し、且つ、前記プレスローラと前記版胴側との圧接位置を通る基準線の下方にて、前記プレスローラに近接して配されている孔版印刷装置において、
前記剥離吸引手段は、更に、無端状とされた搬送ベルトを前記ガイド板の一端部側および他端部側に軸支された一対のプーリに対して掛け回し、前記搬送ベルトの上側部分を前記ガイド板の上面に沿うようして駆動する搬送部を有し、
前記剥離吸引口が、前記ガイド板の一端部側である前記ケースの上端縁に設けられ、
前記搬送部が、前記剥離吸引口の近傍にある前記プーリを前記ケース内に配して、前記搬送ベルトを前記剥離吸引口から前記ケース内に入るように掛け回すとともに、前記剥離吸引口の開口部分に、前記搬送ベルトを掛ける支持軸を有していることを特徴とする。
【００１４】
請求項２記載の孔版印刷装置は、請求項１記載の孔版印刷装置において、前記剥離吸引手段には、前記剥離吸引口にて前記版胴側から引き剥がされた前記印刷用紙を撓むことなく支持し、前記搬送ベルトに向けて導くガイドリブが設けられていることを特徴とする。
【００１５】
請求項３記載の孔版印刷装置は、請求項１又は２記載の孔版印刷装置において、前記剥離吸引手段を介して前記版胴が複数設けられていることを特徴とする。
【００１６】
請求項４記載の孔版印刷装置は、インキ通過性の円筒状の周壁を有して自身の軸線廻りに回転可能とされた版胴と、前記周壁の内周面からインキを供給するスキージローラと、前記版胴の外部に設けられて前記スキージローラとの間にて前記周壁の外周面に巻装された孔版原紙に対して印刷用紙を圧接するプレスローラとを備えた孔版印刷装置であって、
上面にガイド板を有したケースと、
前記ケースに設けられた吸引力発生部と、
前記ガイド板の一端部に設けられ、前記吸引力発生部による吸引力を、前記版胴側から前記印刷用紙を引き剥がす吸引力とする剥離吸引口と、
無端状とされた搬送ベルトに通気穴を設け、該搬送ベルトを前記ガイド板の一端部側および他端部側に軸支された一対のプーリに対して掛け回し、前記搬送ベルトの上側部分を前記ガイド板の上面に沿うようして駆動する搬送部と、
前記ガイド板の前記搬送ベルトと重なる部位に設けられ、前記吸引力発生部による吸引力を、前記印刷用紙を前記搬送ベルト側に吸着する吸引力とする搬送吸引口と、
からなる吸引搬送手段を備え、
前記剥離吸引口が、前記版胴の軸線に交差する前記スキージローラの中心線に直交し、且つ、前記プレスローラと前記版胴側との圧接位置を通る基準線の下方にて、前記プレスローラに近接して配されている孔版印刷装置において、
前記剥離吸引口が、前記ガイド板の一端部側である前記ケースの上端縁に設けられ、
前記搬送部が、前記剥離吸引口の近傍にある前記プーリを前記ケース内に配して、前記搬送ベルトを前記剥離吸引口から前記ケース内に入るように掛け回すとともに、前記剥離吸引口の開口部分に、前記搬送ベルトを掛ける支持軸を有していることを特徴とする。
【００１９】
請求項５記載の孔版印刷装置は、インキ通過性の円筒状の周壁を有して自身の軸線廻りに回転可能とされた版胴と、前記周壁の内周面からインキを供給するスキージローラと、前記版胴の外部に設けられて前記スキージローラとの間にて前記周壁の外周面に巻装された孔版原紙に対して印刷用紙を圧接するプレスローラとを備えた孔版印刷装置であって、
上面にガイド板を有したケースと、
前記ケースに設けられた吸引力発生部と、
前記ガイド板の一端部に設けられ、前記吸引力発生部による吸引力を、前記版胴側から前記印刷用紙を引き剥がす吸引力とする剥離吸引口と、
無端状とされた搬送ベルトに通気穴を設け、該搬送ベルトを前記ガイド板の一端部側および他端部側に軸支された一対のプーリに対して掛け回し、前記搬送ベルトの上側部分を前記ガイド板の上面に沿うようして駆動する搬送部と、
前記ガイド板の前記搬送ベルトと重なる部位に設けられ、前記吸引力発生部による吸引力を、前記印刷用紙を前記搬送ベルト側に吸着する吸引力とする搬送吸引口と、
からなる吸引搬送手段を備え、
前記剥離吸引口が、前記版胴の軸線に交差する前記スキージローラの中心線に直交し、且つ、前記プレスローラと前記版胴側との圧接位置を通る基準線の下方にて、前記プレスローラに近接して配されている孔版印刷装置において、前記剥離吸引口の総開口面積に対する前記搬送吸引口の総開口面積が小さくなるように形成されていることを特徴とする。
【００２０】
請求項６記載の孔版印刷装置は、請求項４又は５記載の孔版印刷装において、前記吸引搬送手段には、前記剥離吸引口にて前記版胴側から引き剥がされた前記印刷用紙を撓むことなく支持し、前記搬送ベルトに向けて導くガイドリブが設けられていることを特徴とする。
【００２１】
請求項７記載の孔版印刷装置は、請求項４又は５又は６記載の孔版印刷装置において、前記吸引搬送手段を介して前記版胴が複数設けられていることを特徴とする。
【００２２】
【発明の実施の形態】
以下、本発明の実施の形態を図面を参照して具体的に説明する。
図１は本発明による孔版印刷装置の一例を示す側面図である。
この孔版印刷装置は、原稿読み取り部１と、製版部２と、印刷部３と、給紙部４と、排紙部５と、排版部６とを有している。
【００２３】
原稿読み取り部１は、イメージスキャナであり、副走査方向に搬送される原稿の画像の読み取りを行うラインイメージセンサ７と、原稿送りローラ８とを有している。なお、原稿読み取り部１としては、上記の構成に限らず、固定の原稿に対してラインイメージセンサ７を副走査方向に移動させて原稿の画像を読み取るように構成してもよい。すなわち、原稿読み取り部１は、原稿とラインイメージセンサ７を相対移動させることにより原稿の画像を読み取る。
【００２４】
製版部２は、原紙ロール部９と、横一列に配置された複数個の点状発熱体により構成されたサーマルヘッド１０と、プラテンローラ１１及び原紙送りローラ１２と、原紙案内ローラ１３と、原紙カッタ１４とを有している。そして、プラテンローラ１１の回転により、原紙ロール部９から孔版原紙Ｍを連続して引き出し、サーマルヘッド１０とプラテンローラ１１の間で搬送する。サーマルヘッド１０には、上記原稿読み取り部１によって読み取られた原稿の画像データが入力されている。そして、サーマルヘッド１０の複数個の点状発熱体が各々個別に選択的に発熱することにより、感熱性の孔版原紙Ｍにドットマトリックス式に感熱穿孔製版が行われる。この製版時において、プラテンローラ１１によって原紙ロール部９から引き出された孔版原紙Ｍは、原紙案内ローラ１３によって所望の引張力が付与されて皺等の発生を防止している。また、製版が行われた孔版原紙Ｍは、原紙送りローラ１２によってさらに搬送され、原紙カッタ１４により一版分に切断される。
【００２５】
印刷部３は、多孔金属板、メッシュ構造体等により構成された多孔構造のインキ通過性の周壁１５を円筒状に配置した版胴１６を有している。版胴１６は、図示されない駆動手段により自身の軸線Ｏ周りに図１にて反時計廻り方向に回転駆動される。また、版胴１６の外周には、孔版原紙Ｍの先端部をクランプするクランプ部１６ａが設けられている。そして、版胴１６は、搬送された製版済みの孔版原紙Ｍの先端部をクランプ部１６ａにてクランプしながら回転することにより、その外周面に孔版原紙Ｍを巻装着版する。また、版胴１６の内部には、インキ供給ローラ１７及びドクタローラ１８によるインキ供給装置１９が設けられている。さらに、版胴１６の外側には、プレスローラ２０が版胴１６（周壁１５）の外周面に接離し得るように移動可能に設けられている。
【００２６】
給紙部４は、印刷部３の一方の側に設けられている。給紙部４は、印刷用紙Ｐが積み重ね載置される給紙台２１と、給紙台２１より印刷用紙Ｐを一枚ずつ取り出すピックアップローラ２２と、印刷用紙Ｐを版胴１６とプレスローラ２０との間に送る給紙タイミングローラ２３とを有している。
【００２７】
排紙部５は、印刷部３の他方の側に設けられている。排紙部５は、印刷済みの印刷用紙Ｐが積層される排紙台２４と、印刷部３にて印刷された印刷用紙Ｐを版胴１６より引き剥がし、且つ、排紙台２４に搬送する吸引搬送手段２５とを有している。
【００２８】
排版部６は、印刷部３の一方の側に設けられている。排版部６は、使用済みの孔版原紙Ｍを版胴１６より引き剥がす剥離爪２７と、引き剥がされた孔版原紙Ｍを搬送する排版ローラ２８と、搬送された孔版原紙Ｍを収容する排版ボックス２９とを有している。
【００２９】
上記構成の孔版印刷装置においては、インキ供給装置１９により版胴１６の周壁１５の内周面に所定のインキが供給される。版胴１６は、自身の軸線Ｏ周りに図１にて反時計廻り方向に回転駆動される。印刷用紙Ｐは、版胴１６の回転に同期して所定のタイミングにて給紙タイミングローラ２３により図１の左方から右方へ移動する状態にて、版胴１６とプレスローラ２０との間に供給される。そして、印刷用紙Ｐが、プレスローラ２０の移動により版胴１６（周壁１５）の外周面に巻装されている孔版原紙Ｍに対して圧接されることによって、印刷用紙Ｐに対して版胴１６から孔版原紙Ｍを通過したインキが転写されて孔版印刷が行われる。
【００３０】
以下、上記の如く構成の孔版印刷装置にかかり、排紙部５の吸引搬送手段２５について説明する。
図２（ａ）は吸引搬送手段２５の第一の例を示す平面図、図２（ｂ）は図２（ａ）における側面図である。
【００３１】
図２（ａ），（ｂ）に示すように、吸引搬送手段２５は、ケース３０と、吸引力発生部３１と、を備えている。
ケース３０は、上面に板状のガイド板３４を有して箱状に形成されている。ガイド板３４は、略平坦状とされ、一端部３４ａを印刷部３側に向け、他端部３４ｂを排紙台２４側に向けて設けられている。
【００３２】
吸引力発生部３１は、ケース３０の底面に設けられている。吸引力発生部３１は、本実施の形態では吸引ファンをなし、ケース３０内の空気をケース３０外の下側に排気する。
【００３３】
搬送部３２は、無端状とされた帯体をなす搬送ベルト３５が、一対のプーリ３６ａ，３６ｂに掛け回されてなる。搬送ベルト３５は、各プーリ３６ａ，３６ｂに掛け回された上側が、ガイド板３４の上面に沿うように配されている。また、搬送ベルト３５には、通気穴３８が設けられている。図２（ａ）で示す通気穴３８は、略円形に開口して所定間隔をおいて複数形成されている。
【００３４】
各プーリ３６ａ，３６ｂは、それぞれガイド板３４の一端部３４ａ側と他端部３４ｂ側にてそれぞれ平行に配された支軸３７に固定されている。プーリ３６ａとプーリ３６ｂは、各支軸３７に複数（本実施の形態では三個）固定され、各々対向している。搬送ベルト３５は、それぞれ対向するプーリ３６ａ，３６ｂ間に掛け回されている。また、支軸３７の一方は、駆動軸をなし、不図示の駆動モータから回転力を受けて所定の速度で回転駆動する。支軸３７の他方は、回動可能に支持された従動軸をなす。そして、駆動軸をなす支軸３７が回転駆動することにより、搬送ベルト３５が図２（ｂ）中矢印方向に循環する如く回転する。なお、各プーリ３６ａ，３６ｂは、両端より中央部分が膨出した、いわゆる太鼓状に形成され、掛け回された搬送ベルト３５の蛇行を抑止している。
【００３５】
印刷部３側に向くガイド板３４の一端部３４ａには、剥離吸引口３９が設けられている。図２（ａ）で示す剥離吸引口３９は、略円形に開口して複数形成されている。この剥離吸引口３９は、吸引力発生部３１による吸引力を、版胴１６（周壁１５）の外周面側から印刷済みの印刷用紙Ｐを引き剥がす吸引力とする。
【００３６】
ガイド板３４の搬送ベルト３５と重なる部位には、搬送吸引口４０が設けられている。搬送吸引口４０は、略円形に開口して複数等間隔に形成されている。この搬送吸引口４０は、搬送ベルト３５に設けられた通気穴３８と重合し、その重合部分にて、吸引力発生部３１による吸引力を、印刷用紙Ｐを搬送ベルト３５側に吸着する吸引力とする。即ち、搬送ベルト３５に吸着された印刷用紙Ｐは、搬送ベルト３５の回転とともに、図２（ｂ）中矢印方向である排紙台２４の方向に搬送される。
【００３７】
なお、搬送ベルト３５に設けた通気穴３８、ガイド板３４に設けた剥離吸引口３９および搬送吸引口４０は、上述した形状に限定されることはない。
【００３８】
図３（ａ）は吸引搬送手段の第二の例を示す平面図、図３（ｂ）は図３（ａ）における側面図である。
図３（ａ），（ｂ）で示す吸引搬送手段２５は、図２（ａ），（ｂ）で示した第一の例の吸引搬送手段２５において、吸引力発生部３１を印刷部３側である剥離吸引口３９に近接して配置している。
【００３９】
これにより、第二の例の吸引搬送手段２５では、剥離吸引口３９側の吸引力を搬送吸引口４０側の吸引力よりも高くして、版胴１６（周壁１５）の外周面側から印刷済みの印刷用紙Ｐを引き剥がす吸引力を大きくする。
【００４０】
図４（ａ）は吸引搬送手段の第三の例を示す平面図、図４（ｂ）は図４（ａ）における側面図である。
図４（ａ），（ｂ）で示す吸引搬送手段２５は、図３（ａ），（ｂ）で示した第二の例の吸引搬送手段２５に対し、剥離吸引口３９が、ガイド板３４の一端部３４ａ側であるケース３０の上端縁に設けられている。本実施の形態では、ガイド板３４の一端部３４ａとケース３０との間に隙間を設け、この隙間を剥離吸引口３９としている。また、剥離吸引口３９が設けられた印刷部３側に向くケース３０の前面は、下向きとなるように印刷用紙Ｐの搬送方向に向かって傾斜して形成されている。
【００４１】
さらに、剥離吸引口３９の近傍であるガイド板３４の一端部３４ａ側にあるプーリ３６ａは、ケース３０内に配されている。そして、各プーリ３６ａ，３６ｂに掛け回される搬送ベルト３５は、剥離吸引口３９からケース３０内に引き込まれている。また、剥離吸引口３９の開口部分には、搬送ベルト３５を掛ける支持軸４１が設けられている。この支持軸４１は、各プーリ３６ａ，３６ｂの径よりも細径に形成され、各プーリ３６ａ，３６ｂが固定された支軸３７と平行であり、且つ、搬送ベルト３５の回転に際して共に回転するようにケース３０側に支持されている。
【００４２】
これにより、第三の例の吸引搬送手段２５では、剥離吸引口３９を、より版胴１６とプレスローラ２０の圧接部分に接近させ、剥離吸引口３９による吸引作用を十分に得られるようにする。さらに、第三の例の吸引搬送手段２５では、剥離吸引口３９の開口部分にかかる搬送ベルト３５によって、版胴１６（周壁１５）の外周面側から引き剥がした印刷済みの印刷用紙Ｐを直ちに搬送ベルト３５にて搬送できるようにする。
【００４３】
図５は吸引搬送手段の第四の例を示す平面図である。
図５で示す吸引搬送手段２５は、図４（ａ），（ｂ）で示した第三の例の吸引搬送手段２５において、搬送吸引口４０を小さくし、剥離吸引口３９の総開口面積に対して、搬送吸引口４０の総開口面積が小さくなるように形成されている。具体的には、剥離吸引口３９の総開口面積に対する搬送吸引口４０の総開口面積が略１０：１となるように形成されている。また、搬送吸引口４０は、印刷部３側であるガイド板３４の一端部３４ａ側の配置が他端部３４ｂ側と比較して密となるように形成されている。
【００４４】
これにより、第四の例の吸引搬送手段２５では、上記各総開口面積の関係により剥離吸引口３９の吸引力が増し、版胴１６（周壁１５）の外周面側から印刷済みの印刷用紙Ｐを引き剥がす吸引力をさらに大きくする。また、第四の例の吸引搬送手段２５では、搬送吸引口４０の配置をガイド板３４の一端部３４ａ側で密となるようにしていることにより、ガイド板３４の一端部３４ａ側で印刷用紙Ｐを搬送ベルト３５に引き付けて、版胴１６からの印刷用紙Ｐの引き剥がしを助勢する。
【００４５】
上述した第一乃至第四の例の吸引搬送手段２５は、孔版印刷装置に対し、図６乃至図１０に示すように配置されている。なお、図６乃至図１０で示す吸引搬送手段２５は、第四の例の吸引搬送手段２５としている。
【００４６】
吸引搬送手段２５は、図６，図９，図１０に示すように、剥離吸引口３９が、版胴１６の軸線Ｏに交差するスキージローラ１７の中心線Ａに直交し、且つ、プレスローラ２０と版胴１６側との圧接位置を通る基準線Ｂの下方に位置するように配置されるとともに、プレスローラ２０に近接して配置されている。これにより、剥離吸引口３９が、印刷用紙Ｐをプレスローラ２０によって版胴１６側に圧接した直後の位置に近接し、印刷を行った直後に版胴１６側から印刷用紙Ｐを引き剥がす吸引力を作用させることとなる。
【００４７】
このように配置した場合、例えば、図６における部分拡大図である図７に示すように、プレスローラ２０と版胴１６側との圧接位置を通過した印刷用紙Ｐが、剥離吸引口３９の吸引力によって搬送ベルト３５側に吸引された状態にて、プレスローラ２０、印刷用紙Ｐ、搬送ベルト３５に囲まれた吸引領域Ｖを形成することとなる。そして、後続して圧接位置を通過した印刷用紙Ｐは、この吸引領域Ｖによって順次搬送ベルト３５側に吸引されて搬送される。
【００４８】
また、図８に示すように、剥離吸引口３９が設けられた印刷部３側に向くケース３０の前面に対し、上方に延出された延長片４２を設けてもよい。これにより、剥離吸引口３９による上記吸引力が、より効率よく印刷用紙Ｐに対して作用する。
【００４９】
なお、各図に示した吸引搬送手段２５は、ガイド板３４が平板状に形成されているが、一端部３４ａよりも他端部３４ｂが下側に位置するように湾曲させて形成してもよい。
【００５０】
なお、図６で示す吸引搬送手段２５の配置は、搬送ベルト３５が沿うガイド板３４の上面が、基準線Ｂに平行となるように配されている。これに対し、図９に示すように、吸引搬送手段２５を、搬送ベルト３５が沿うガイド板３４の上面が、基準線Ｂに交差するようにして配置してもよい。この場合、剥離吸引口３９の吸引力により版胴１６側から引き剥がされた印刷用紙Ｐが、搬送ベルト３５側により吸着するように接近することとなる。また、図１０に示すように、吸引搬送手段２５を、搬送ベルト３５が沿うガイド板３４の上面が、基準線Ｂから離れるように配置してもよい。この場合、ガイド板３４の一端部３４ａよりも他端部３４ｂが下側に位置するように傾斜して設けた構成と同様に、印刷用紙Ｐを搬送する過程において版胴１６側から印刷用紙Ｐを引き剥がす方向に搬送力が作用することとなる。
【００５１】
また、吸引搬送手段２５の配置を示す図６乃至図１０では、プレスローラ２０が版胴１６側に印刷用紙Ｐを圧接する圧接位置にある時、プレスローラ２０の中心が、スキージローラ１７の中心線Ａ上となる構成である。その他、プレスローラ２０が圧接位置にある時、プレスローラ２０をスキージローラ１７の中心線Ａから給紙側にずらした位置にして、印刷用紙Ｐの挟み込みを良くする構成もある。この場合であっても、吸引搬送手段２５を上述した配置にすればよい。
【００５２】
したがって、上述した孔版印刷装置では、吸引搬送手段２５により、従来別々の構成にて行っていた版胴１６側からの印刷用紙Ｐの引き剥がしと、排紙台２４への印刷用紙Ｐの搬送とを共に行うことが可能となる。
【００５３】
また、版胴１６側からの印刷用紙Ｐの引き剥がしに関し、従来の分離爪や送風ファンの構成に代えて、印刷用紙Ｐを吸引する方式としているため、印刷用紙Ｐの印刷画像面に接触することなく、画像部分の印刷品位の低下を防止することが可能となる。
【００５４】
また、上記吸引搬送手段２５では、剥離吸引口３９を、ケース３０の版胴１６側に配置するようにしている。これにより、プレスローラ２０が版胴１６側に圧接する位置に剥離吸引口３９をより近づけることができ、剥離吸引口３９による吸引作用を十分に得ることが可能となる。さらに、吸引搬送手段２５は、吸引力発生部３１の配置、剥離吸引口３９に対する搬送吸引口４０の総開口面積の設定により、剥離吸引口３９の吸引力を増し、版胴１６（周壁１５）の外周面側から印刷済みの印刷用紙Ｐを引き剥がす吸引力を大きくすることが可能となる。これにより、版胴１６側からの印刷用紙Ｐの引き剥がしを安定して効率よく行うことができる。また、印刷画像の印字率が大きく、または偏っている場合であっても、印刷画像の滲み、濃淡の発生、裏移り、および排紙ジャム等の不都合を解消することが可能となる。
【００５５】
また、上記吸引搬送手段２５により、版胴１６側からの印刷用紙Ｐの引き剥がしを安定して効率よく行う。これにより、印刷画像の印字率が大きく、または偏っている場合であっても、版胴１０３側からの印刷用紙Ｐの分離タイミングの変化をなくし、版胴１６側からの印刷用紙Ｐの分離を用紙先端位置を揃えて行うことが可能となる。これにより、特に、後述するように、版胴１６の後段に別の版胴を設けて、多版印刷や両面印刷を行うようにした孔版印刷装置では、初段の版胴１６にて印刷された印刷用紙Ｐの画像に対し、後段の版胴にて印刷する印刷画像の相対的なズレを防止することが可能となる。
【００５６】
以下、上記複数の版胴を備えた孔版印刷装置について説明する。
図１１は複数の版胴を備えた孔版印刷装置の一例を示す側面図である。
なお、以下に説明する孔版印刷装置の例は、上述した図１に例示する孔版印刷装置に対し、印刷部３と排紙部５の間に、さらなる印刷を行う印刷部５３と、この印刷部５３にかかる製版部５２および排版部５６を備えている。ゆえに、上述した図１で示す孔版印刷装置と同一あるいは同等部分には、同一の符号を付してその説明を省略する。また、図１１では、原稿読み取り部１にかかる構成を省略している。
【００５７】
製版部５２は、図１１に示すように、製版部２と上下逆に配置されている。この製版部５２は、原紙ロール部５９と、横一列に配置された複数個の点状発熱体により構成されたサーマルヘッド６０と、プラテンローラ６１及び原紙送りローラ６２と、原紙案内ローラ６３と、原紙カッタ６４とを有している。そして、プラテンローラ６１の回転により、原紙ロール部５９から孔版原紙Ｍを連続して引き出し、サーマルヘッド６０とプラテンローラ６１の間で搬送する。サーマルヘッド６０には、上述した原稿読み取り部１によって読み取られた原稿の画像データが入力されている。そして、サーマルヘッド６０の複数個の点状発熱体が各々個別に選択的に発熱することにより、感熱性の孔版原紙Ｍにドットマトリックス式に感熱穿孔製版が行われる。この製版時において、プラテンローラ６１によって原紙ロール部５９から引き出された孔版原紙Ｍは、原紙案内ローラ６３によって所望の引張力が付与されて皺等の発生を防止している。また、製版が行われた孔版原紙Ｍは、原紙送りローラ６２によってさらに搬送され、原紙カッタ６４により一版分に切断される。
【００５８】
印刷部５３は、図１１に示すように、印刷部３と上下逆に配置されている。この印刷部５３は、多孔金属板、メッシュ構造体等により構成された多孔構造のインキ通過性の周壁６５を円筒状に配置した版胴６６を有している。版胴６６は、図示されない駆動手段により自身の軸線周りに図１１にて時計廻り方向に回転駆動される。また、版胴６６の外周には、孔版原紙Ｍの先端部をクランプするクランプ部６６ａが設けられている。そして、版胴６６は、搬送された製版済みの孔版原紙Ｍの先端部をクランプ部６６ａにてクランプしながら回転することにより、その外周面に孔版原紙Ｍを巻装着版する。また、版胴６６の内部には、インキ供給ローラ６７及びドクタローラ６８によるインキ供給装置６９が設けられている。さらに、版胴６６の外側には、プレスローラ７０が版胴６６（周壁６５）の外周面に接離し得るように移動可能に設けられている。
【００５９】
排版部５６は、図１１に示すように、排版部６と上下逆に配置されている。この排版部５６は、印刷部５３の一方の側（図１１中左側）に設けられている。排版部５６は、使用済みの孔版原紙Ｍを版胴６６より引き剥がす剥離爪７７と、引き剥がされた孔版原紙Ｍを搬送する排版ローラ７８と、搬送された孔版原紙Ｍを収容する排版ボックス７９とを有している。
【００６０】
図１１に示す排紙部５には、上記第三の例あるいは第四の例の吸引搬送手段２５が採用され、且つ、この吸引搬送手段２５が図１等で示す構成と上下逆に配置されている。即ち、図１１で示す吸引搬送手段２５では、ケース３０が、下面に板状のガイド板３４を有して箱状に形成されている。また、吸引力発生手段３１が、ケース３０の平面に設けられ、ケース３０内の空気をケース３０外の上側に排気する。そして、搬送ベルト３５が、ガイド板３４の下面に沿うように配されている。これにより、図１１で示す吸引搬送手段２５は、吸引力発生部３１による吸引力を、版胴６６（周壁６５）の外周面側から印刷済みの印刷用紙Ｐを引き剥がす吸引力とし、且つ、吸引力発生部３１による吸引力を、印刷用紙Ｐをガイド板３４の下面に沿う搬送ベルト３５の下側面に吸着する吸引力として、搬送ベルト３５の回転とともに排紙台２４の方向に搬送する。
【００６１】
また、図１１で示す孔版印刷装置では、版胴１６と版胴６６との間に、別の吸引搬送手段７５が配されている。この吸引搬送手段７５は、図１１乃至図１３に示すように、ケース８０と、吸引力発生部８１と、搬送部８２を備えている。
【００６２】
ケース８０は、上面に板状のガイド板８４を有して箱状に形成されている。ガイド板８４は、略平坦状とされ、一端部８４ａを版胴１６側に向け、他端部８４ｂを版胴６６側に向けて設けられている。
【００６３】
吸引力発生部８１は、ケース８０の底面に設けられている。吸引力発生部８１は、本実施の形態では吸引ファンをなし、ケース８０内の空気をケース８０外の下側に排気する。
【００６４】
版胴１６側に向くガイド板８４の一端部８４ａには、剥離吸引口８９が設けられている。剥離吸引口８９は、ガイド板８４の一端部８４ａとケース８０との間に隙間を設け、この隙間が剥離吸引口８９とされている。この剥離吸引口８９は、吸引力発生部８１による吸引力を、版胴１６（周壁１５）の外周面側から印刷済みの印刷用紙Ｐを引き剥がす吸引力とする。
【００６５】
搬送部８２は、無端状とされた帯体をなす搬送ベルト８５の一部が、ガイド板８４の上面に沿うように配されている。搬送ベルト８５は、以下の構成により印刷用紙Ｐの搬送方向に沿って掛け回されている。
図１２および図１３に示すように、剥離吸引口８９の開口部分には、支持軸９１ａが設けられている。また、ガイド板８４の他端部８４ｂ側には、支持軸９１ａと同様の支持軸９１ｂが設けられている。さらに、支持軸９１ａの下方であって、ケース８０の内部には、支軸８７に固定されたプーリ８６が設けられている。支持軸９１ａ，９１ｂおよび支軸８７は平行であり、且つ、回転可能にケース８０側に支持されている。搬送ベルト８５は、これら支持軸９１ａ，９１ｂおよび支軸８７のプーリ８６に掛け回されている。これにより、搬送ベルト８５は、支持軸９１ａ，９１ｂに支持されてガイド板８４の上面に沿い、且つ、剥離吸引口８９からケース３０内に引き込まれてプーリ８６を介してケース８０の外側に延出されて支持軸９１ｂに至る。また、搬送ベルト８５には、通気穴８８が設けられている。図１２で示す通気穴８８は、略円形に開口して所定間隔をおいて複数形成されている。
【００６６】
また、支軸８７は、駆動軸をなし、不図示の駆動モータから回転力を受けて所定の速度で回転駆動する。支持軸９１ａ，９１ｂは、従動軸をなす。そして、駆動軸をなす支軸８７が回転駆動することにより、搬送ベルト８５が図１２中矢印方向に循環する如く回転する。
【００６７】
ガイド板８４には、搬送ベルト８５と重なる部位に、搬送吸引口９０が設けられている。搬送吸引口９０は、略円形に開口して複数等間隔に形成されている。この搬送吸引口９０は、搬送ベルト８５に設けられた通気穴８８と重合し、その重合部分にて、吸引力発生部８１による吸引力を、印刷用紙Ｐを搬送ベルト８５側に吸着する吸引力とする。即ち、搬送ベルト８５に吸着された印刷用紙Ｐは、搬送ベルト８５の回転とともに、図１２中矢印方向である版胴６６の方向に搬送される。
【００６８】
また、図１１に示すように、ケース８０は、剥離吸引口８９（支持軸９１ａ）が設けられた版胴１６側に向く前面が、下向きとなるように印刷用紙Ｐの搬送方向に向かって傾斜して形成されている。これにより、吸引搬送手段７５では、剥離吸引口８９側を、図６，図９，図１０で示す吸引搬送手段２５と同様に、より版胴１６とプレスローラ２０の圧接部分に接近させ、剥離吸引口８９による吸引作用を十分に得ている。また、搬送ベルト８５が剥離吸引口８９の開口部分にかかるので、版胴１６（周壁１５）の外周面側から引き剥がした印刷済みの印刷用紙Ｐを直ちに搬送ベルト８５にて搬送できる。さらに、ケース８０は、支持軸９１ｂが設けられた版胴６６側に向く背面が、下向きとなるように印刷用紙Ｐの搬送方向と逆に向かって傾斜して形成されている。これにより、吸引搬送手段７５では、支持軸９１ｂが支持する搬送ベルト８５の部分を、版胴６６とプレスローラ７０の圧接部分に接近させて、版胴６６側への印刷用紙Ｐの受け渡し精度を向上している。
【００６９】
また、吸引搬送手段７５は、版胴１６と版胴６６との間に配置するために吸引搬送手段２５と比較して搬送方向に短尺に形成されて小型化が図られている。
【００７０】
上記の如く、図１１に示す孔版印刷装置においては、版胴１６側にて印刷が行われた後の印刷用紙Ｐは、吸引搬送手段７５を介して版胴６６側に搬送される。版胴６６では、インキ供給装置６９により周壁６５の内周面に所定のインキが供給される。版胴６６は、自身の軸線周りに図１１にて時計廻り方向に回転駆動される。これとともに、吸引搬送手段７５により搬送された印刷用紙Ｐが、版胴６６とプレスローラ７０との間に供給される。そして、印刷用紙Ｐが、プレスローラ７０の移動により版胴６６（周壁６５）の外周面に巻装されている孔版原紙Ｍに対して圧接されることによって、印刷用紙Ｐに対して版胴６６から孔版原紙Ｍを通過したインキが転写されて孔版印刷が行われる。
【００７１】
ところで、上述した吸引搬送手段７５では、剥離吸引口８９による吸引作用を十分に得て、版胴１６側からの印刷用紙Ｐの引き剥がしを安定して効率よく行っている。印刷速度（用紙送り速度）や、印刷用紙Ｐの紙質が変化する場合には、図１４に示すようＰ１あるいはＰ２のように、剥離吸引口８９にて吸引される印刷用紙Ｐの剥離後の軌道に変化が生じる。具体的には、印刷速度が速い、あるいはコシのある紙質の印刷用紙Ｐの場合にはＰ１の軌道となり、印刷用紙が遅い、あるいはコシの無い紙質の印刷用紙Ｐの場合にはＰ２の軌道となる。このように、印刷用紙ＰがＰ１あるいはＰ２の如く異なる軌道を通過すると、僅かであるが搬送方向における印刷用紙Ｐの用紙先端位置にズレが生じることとなる。本発明では、以下の構成により、この用紙先端位置のズレをなくしている。
【００７２】
図１５に示すように、剥離吸引口８９部分には、ガイドリブ９２が設けられている。このガイドリブ９２は、その上端縁９２ａが剥離吸引口８９にて版胴１６から引き剥がされた印刷用紙Ｐの非印刷面側に接触し、印刷用紙Ｐを撓むことなく支持する。ガイドリブ９２の上端縁９２ａは、図１５に示すように、支持された印刷用紙Ｐが最も撓まない条件での軌道をなし、且つ、版胴１６から引き剥がされた印刷用紙Ｐを滑らかに搬送ベルト８５上に導くように形成されている。即ち、上端縁９２ａは、Ｐ１相当の軌道をなすように形成されている。さらに、上端縁９２ａは、印刷用紙Ｐが最も撓まない直線状の軌道をなしていてもよい。また、ガイドリブ９２は、図１２および図１３に示すように、剥離吸引口８９を閉塞することなく板片状をなして複数設けられている。
【００７３】
このように、ガイドリブ９２を設けることにより、印刷速度や、印刷用紙Ｐの紙質が変化する場合でも、剥離吸引口８９にて吸引される印刷用紙Ｐの剥離後の軌道に変化がないので、印刷用紙Ｐの用紙先端位置にズレが生じることがない。これにより、版胴１６側からの印刷用紙Ｐの引き剥がしをさらに安定させることが可能となる。特に、図１１に示すように、版胴１６の後段に別の版胴６６を設けて、多版印刷や両面印刷を行うようにした孔版印刷装置において、初段の版胴１６にて印刷された印刷用紙Ｐの画像に対し、後段の版胴６６にて印刷する印刷画像の相対的なズレをなくして、さらに正確な印刷位置の位置決めを行うことが可能となる。
【００７４】
なお、上述したガイドリブ９２は、複数の版胴１６，６６の間に設けられる吸引搬送手段７５にのみ採用することに限らず、上述した版胴１６（６６）から排紙部５に印刷用紙Ｐを搬送する吸引搬送手段２５に採用してもよい。吸引搬送手段２５にガイドリブ９２を採用した場合には、印刷用紙Ｐの用紙先端位置が揃うことにより、排紙台２４に向けて送り出される印刷用紙Ｐの送り状態が変化しなくなるので、排紙台２４上での紙揃えをより良くすることが可能となる。
【００７５】
また、上述した総ての例では、ケース３０（８０）と、吸引力発生部３１（８１）と、剥離吸引口３９（８９）と、搬送部３２（８２）と、搬送吸引口４０（９０）からなる吸引搬送手段２５（７５）について説明したが、搬送部３２（８２）の搬送ベルト３５（８５）に設けた通気穴３８（８８）と搬送吸引口４０（９０）を除いた剥離吸引手段２５Ａ（７５Ａ）としてもよい。
【００７６】
この場合、図２〜図４の吸引搬送手段２５の例は、図１６〜図１８に示すように、通気穴３８と搬送吸引口４０がない剥離吸引手段２５Ａとなる。同様に、図１２，図１３の吸引搬送手段７５の例も、図１９，図２０に示すように、通気穴８８と搬送吸引口９０がない剥離吸引手段７５Ａとなる。
【００７７】
【発明の効果】
以上説明したように本発明の孔版印刷装置は、剥離吸引口が、吸引力発生部による吸引力を、版胴側から印刷済みの印刷用紙を引き剥がす吸引力とする。これにより、版胴側からの印刷用紙の引き剥がしに関し、従来の分離爪や送風ファンの構成に代えて、印刷用紙を吸引する方式としているため、印刷用紙の印刷画像面に接触することなく、画像部分の印刷品位の低下を防止することができる。
【００７８】
また、剥離吸引口が、版胴の軸線に交差するスキージローラの中心線に直交し、且つ、プレスローラと版胴側との圧接位置を通る基準線の下方にて、プレスローラに近接して配されていることにより、版胴側からの印刷用紙の引き剥がす剥離吸引口の吸引力を効率よく印刷用紙に対して作用させることができる。
【００７９】
特に、剥離吸引口が、吸引力発生部による吸引力を、版胴側から印刷済みの印刷用紙を引き剥がす吸引力とする。また、搬送吸引口が、吸引力発生部による吸引力を、印刷用紙を搬送ベルト側に吸着する吸引力とする。そして、搬送ベルトに吸着された印刷用紙を搬送ベルトの回転とともに排紙する。これにより、従来別々の構成にて行っていた版胴側からの印刷用紙の引き剥がしと、排紙側への印刷用紙の搬送とを吸引搬送手段にて共に行うことができる。
【００８０】
また、吸引力発生部を剥離吸引口側に近接して設けたことにより、剥離吸引口の吸引力を増して、版胴側から印刷済みの印刷用紙を引き剥がす吸引力を大きくすることができる。これにより、版胴側からの印刷用紙の引き剥がしを安定して効率よく行うことができ、印刷画像の印字率が大きく、または偏っている場合であっても、印刷画像の滲み、濃淡の発生、裏移り、および排紙ジャム等の不都合を解消することができる。
【００８１】
更に、剥離吸引口をガイド板の一端部側であるケースの上端縁に設け、この剥離吸引口の近傍にあるプーリをケース内に配して、搬送ベルトを剥離吸引口からケース内に入るように掛け回すとともに、剥離吸引口の開口部分に、搬送ベルトを掛ける支持軸を有している。これにより、剥離吸引口を、より版胴とプレスローラの圧接部分に接近させ、剥離吸引口による吸引作用を十分に得られるようにすることができる。さらに、剥離吸引口の開口部分にかかる搬送ベルトによって、版胴側から引き剥がした印刷済みの印刷用紙を直ちに搬送ベルトにて搬送することができる。
【００８２】
また、剥離吸引口の総開口面積に対する搬送吸引口の総開口面積が小さくなるように形成したことにより、剥離吸引口の吸引力を増して、版胴側から印刷済みの印刷用紙を引き剥がす吸引力を大きくすることができる。これにより、版胴側からの印刷用紙の引き剥がしを安定して効率よく行うことができ、印刷画像の印字率が大きく、または偏っている場合であっても、印刷画像の滲み、濃淡の発生、裏移り、および排紙ジャム等の不都合を解消することができる。
【００８３】
更に、剥離吸引手段に設けたガイドリブにより、印刷速度や、印刷用紙Ｐの紙質が変化した場合に、剥離吸引口にて吸引された印刷用紙Ｐの軌道に変化がなく、印刷用紙Ｐの用紙先端位置にズレが生じることがない。
【００８４】
また、吸引搬送手段を介して版胴が複数設けられている場合、初段の版胴から後段の版胴に印刷用紙を搬送する際に、用紙先端位置を変化なく揃えることが可能となる。これにより、各版胴による印刷画像の相対的なズレをなくし、正確な印刷位置での印刷を行うことができる。
【図面の簡単な説明】
【図１】本発明による孔版印刷装置の一例を示す側面図。
【図２】（ａ）吸引搬送手段の第一の例を示す平面図。
（ｂ）図２（ａ）における側面図。
【図３】（ａ）吸引搬送手段の第二の例を示す平面図。
（ｂ）図３（ａ）における側面図。
【図４】（ａ）吸引搬送手段の第三の例を示す平面図。
（ｂ）図４（ａ）における側面図。
【図５】吸引搬送手段の第四の例を示す平面図。
【図６】吸引搬送手段の孔版印刷装置に対する配置を示す側面図。
【図７】図６における部分拡大図。
【図８】吸引搬送手段の孔版印刷装置に対する配置を示す側面図。
【図９】吸引搬送手段の孔版印刷装置に対する配置を示す側面図。
【図１０】吸引搬送手段の孔版印刷装置に対する配置を示す側面図。
【図１１】複数の版胴を備えた孔版印刷装置の一例を示す側面図。
【図１２】別の吸引搬送手段を示す平面図。
【図１３】別の吸引搬送手段を示す斜視図。
【図１４】印刷速度あるいは紙質が異なる場合の印刷用紙の軌道を示す図。
【図１５】ガイドリブが設けられた吸引搬送手段を示す側面図。
【図１６】（ａ）剥離吸引手段の第一の例を示す平面図。
（ｂ）図１６（ａ）における側面図。
【図１７】（ａ）剥離吸引手段の第二の例を示す平面図。
（ｂ）図１７（ａ）における側面図。
【図１８】（ａ）剥離吸引手段の第三の例を示す平面図。
（ｂ）図１８（ａ）における側面図。
【図１９】別の剥離吸引手段を示す平面図。
【図２０】別の剥離吸引手段を示す斜視図。
【図２１】従来の孔版印刷装置を示す側面図。
【符号の説明】
１５，６５…周壁、１６，６６…版胴、１７，６７…スキージローラ、２０，７０…プレスローラ、３０，８０…ケース、３１，８１…吸引力発生部、３２，８２…搬送部、３４，８４…ガイド板、３４ａ，８４ａ…一端部、３４ｂ，８４ｂ…他端部、３５，８５…搬送ベルト、３６ａ，３６ｂ，８６…プーリ、３９，８９…剥離吸引口、４０，９０…搬送吸引口、４１，９１…支持軸、９２…ガイドリブ、Ｍ…孔版原紙、Ｐ…印刷用紙。
【図１】
0003779891.tif 000002
【図２】
0003779891.tif 000003
【図３】
0003779891.tif 000004
【図４】
0003779891.tif 000005
【図５】
0003779891.tif 000006
【図６】
0003779891.tif 000007
【図７】
0003779891.tif 000008
【図８】
0003779891.tif 000009
【図９】
0003779891.tif 000010
【図１０】
0003779891.tif 000011
【図１１】
0003779891.tif 000012
【図１２】
0003779891.tif 000013
【図１３】
0003779891.tif 000014
【図１４】
0003779891.tif 000015
【図１５】
0003779891.tif 000016
【図１６】
0003779891.tif 000017
【図１７】
0003779891.tif 000018
【図１８】
0003779891.tif 000019
【図１９】
0003779891.tif 000020
【図２０】
0003779891.tif 000021
【図２１】
0003779891.tif 000022